(57)【要約】【課題】ＶＤＳＬモデムからＶＤＳＬの通信速度を容易に設定することができるＶＤＳＬ通信システムを提供することを目的とする。【解決手段】ＰＢＸ１０３およびインターネット２０１に接続されたＶＤＳＬ装置２０３と、ＶＤＳＬ装置２０３に接続されたＶＤＳＬモデム２０４とを有するＶＤＳＬ通信システムにおいて、ＶＤＳＬモデム２０４は、設定した通信速度をＶＤＳＬ装置２０３に送信する。【選択図】  図１
2004187063.tif 000002
【特許請求の範囲】
【請求項１】
ＰＢＸおよびインターネット網に接続されたＶＤＳＬ装置と、前記ＶＤＳＬ装置に接続されたＶＤＳＬモデムとを有するＶＤＳＬ通信システムにおいて、
前記ＶＤＳＬモデムは、設定した通信速度を前記ＶＤＳＬ装置に送信することを特徴とするＶＤＳＬ通信システム。
【請求項２】
前記ＶＤＳＬモデムは、通信速度等のデータを入力して設定するための入力部を有することを特徴とする請求項１に記載のＶＤＳＬ通信システム。
【請求項３】
前記ＶＤＳＬモデムは、ＰＣ等が接続されたＬＡＮの伝送速度に合せて通信速度を適切な速度に自動設定することを特徴とする請求項１に記載のＶＤＳＬ通信システム。
【請求項４】
前記ＶＤＳＬモデムは、前記ＶＤＳＬモデムの状態や各種データなどを表示する表示部を有することを特徴とする請求項１乃至３のいずれか１に記載のＶＤＳＬ通信システム。
【発明の詳細な説明】
【０００１】
【発明の属する技術分野】
本発明は、マンションやホテル等で高速インターネット通信のために用いるＶＤＳＬ通信システムに関するものである。
【０００２】
【従来の技術】
高速インターネット通信のためにＶＤＳＬ通信システムが検討されている。この通信を実現するためＶＤＳＬモデムが使用される（例えば、特許文献１参照。）。
【０００３】
図１１は、従来のＶＤＳＬ通信システムを示すブロック図である。
【０００４】
図１１において、１０１は公衆回線網、１０２はアナログ回線やＩＳＤＮ回線等の外線ケーブル、１０３はＰＢＸ、１０４はアナログ回線やＩＳＤＮ回線等の内線ケーブル、１０５は電話機、２０１はインターネット、２０２はインターネット２０１と後述のＶＤＳＬ装置２０３とを接続するＷＡＮケーブル、２０３はＰＢＸ１０３およびインターネット２０１に接続されたＶＤＳＬ装置、２０４はＶＤＳＬ装置２０３に接続されたＶＤＳＬモデム、２０５はＰＣ、２０６はＬＡＮケーブル、２１０はＶＤＳＬの通信速度等のＶＤＳＬに関する各種設定を行う設定用機器（設定用パソコン）、２１１は設定用機器２１０とＶＤＳＬ装置２０３とを接続する接続ケーブルである。
【０００５】
このように構成されたＶＤＳＬ通信システムについて、その機能、動作等の概略を図１２を用いて説明する。図１２は、設定用機器２１０における設定入力画面の例を示す画面図である。
【０００６】
ＶＤＳＬ装置２０３とＶＤＳＬモデム２０４は、通常の電話線にデータを重畳させることができる機器であり、既存の１本の内線ケーブル１０４をそのまま利用して、新たなケーブルを敷設することなく、音声ネットワークとデータネットワークの２つのネットワークを構築することができる。つまり、１本の電話線だけで音声通話と高速なデータ通信を行うことが可能になる。図１１のＶＤＳＬ通信システムにおいて、各内線の通信速度やＶＬＡＮ（Ｖｉｒｔｕａｌ  ＬＡＮ）等のＶＤＳＬに関する各種設定は、設定用機器２１０をＶＤＳＬ装置２０３につないで、図１２のような入力画面からネットワーク管理者や工事担当者などにより行う。
【０００７】
【特許文献１】
特表２００２−５１１９９０号公報
【０００８】
【発明が解決しようとする課題】
しかしながら、上記従来のＶＤＳＬ通信システムにおいては、ＶＤＳＬの通信速度の設定を行う場合はＶＤＳＬ装置２０３に接続された設定用機器２１０から設定する必要があるが、一般的にＶＤＳＬ装置２０３、ＰＢＸ１０３、設定用機器２１０は主にビルやマンションの地下制御室に設置される場合が多く、通信速度の設定や設定変更を行う場合にはその都度、設定用機器が設置してある地下制御室にネットワーク管理者等が行き、設定を行わなければならず、その為、通信速度の設定を臨機応変に変更することができないという問題点を有していた。また、設定しなければならない通信速度などの項目は接続されている内線の数だけあり、人間が設定を行う以上、設定ミスをしてしまう可能性もあるという問題点を有していた。
【０００９】
このＶＤＳＬ通信システムでは、通常は宅内にあるＶＤＳＬモデムからＶＤＳＬの通信速度を容易に設定することができ、またＶＤＳＬの通信速度を自動的に設定することができることが要求されている。
【００１０】
本発明は、この要求を満たすため、ＶＤＳＬモデムからＶＤＳＬの通信速度を容易に設定することができ、またＶＤＳＬの通信速度を自動的に設定することができるＶＤＳＬ通信システムを提供することを目的とする。
【００１１】
【課題を解決するための手段】
この課題を解決するために本発明のＶＤＳＬ通信システムは、ＰＢＸおよびインターネット網に接続されたＶＤＳＬ装置と、ＶＤＳＬ装置に接続されたＶＤＳＬモデムとを有するＶＤＳＬ通信システムにおいて、ＶＤＳＬモデムは、設定した通信速度をＶＤＳＬ装置に送信する構成を備えている。
【００１２】
これにより、ＶＤＳＬモデムからＶＤＳＬの通信速度を容易に設定することができるＶＤＳＬ通信システムが得られる。
【００１３】
【発明の実施の形態】
本発明の請求項１に記載のＶＤＳＬ通信システムは、ＰＢＸおよびインターネット網に接続されたＶＤＳＬ装置と、ＶＤＳＬ装置に接続されたＶＤＳＬモデムとを有するＶＤＳＬ通信システムにおいて、ＶＤＳＬモデムは、設定した通信速度をＶＤＳＬ装置に送信することとしたものである。
【００１４】
この構成により、ＶＤＳＬの通信速度の設定の為にネットワーク管理者等が設定用機器が設置してある場所（例えばビルの地下制御室）に出向いて設定作業をする必要がなくなり、通常は宅内に設定されているＶＤＳＬモデムから簡単に通信速度を設定することができるという作用を有する。
【００１５】
請求項２に記載のＶＤＳＬ通信システムは、請求項１に記載のＶＤＳＬ通信システムにおいて、ＶＤＳＬモデムは、通信速度等のデータを入力して設定するための入力部を有することとしたものである。
【００１６】
この構成により、ＶＤＳＬモデムの入力部から容易に通信速度を設定することができるという作用を有する。
【００１７】
請求項３に記載のＶＤＳＬ通信システムは、請求項１に記載のＶＤＳＬ通信システムにおいて、ＶＤＳＬモデムは、ＰＣ等が接続されたＬＡＮの伝送速度に合せて通信速度を適切な速度に自動設定することとしたものである。
【００１８】
この構成により、ＶＤＳＬモデムのＬＡＮ側の状態、たとえば１０ＢａｓｅＴ（１０Ｍｂｐｓ）が接続されているのか若しくは１００ＢａｓｅＴ（１００Ｍｂｐｓ）が接続されているのかを自動的に判別し、その結果を元に通信速度を自動的に設定することができるので、人的設定作業が不要となり、設定作業の簡略化を図ることができ、利便性の向上を図ることができるという作用を有し、また、人的作業の設定ミスによりＬＡＮ側が１０Ｍｂｐｓの伝送速度しかないのにＶＤＳＬの通信速度を１０Ｍｂｐｓ以上に設定してしまった場合にも、１０Ｍｂｐｓ以下の適切な通信速度に自動的に修正することができるという作用、つまり、ＶＤＳＬモデムのＬＡＮ側の伝送速度を最大限に活かせるようにＶＤＳＬの通信速度を自動的に設定することができると共に人為作業による設定ミスを自動的に修正することができるという作用を有する。
【００１９】
請求項４に記載のＶＤＳＬ通信システムは、請求項１乃至３のいずれか１に記載のＶＤＳＬ通信システムにおいて、ＶＤＳＬモデムは、ＶＤＳＬモデムの状態や各種データなどを表示する表示部を有することとしたものである。
【００２０】
この構成により、ＶＤＳＬモデムの表示部に現在の通信速度の値を表示させることで、設定ミスを防ぐことができ、また、ユーザに対してはＶＤＳＬ通信システムを使用する際に安心感を与えることができるという作用を有する。
【００２１】
以下、本発明の実施の形態について、図１〜図１０を用いて説明する。
【００２２】
（実施の形態１）
図１は、本発明の実施の形態１によるＶＤＳＬ通信システムを示すブロック図である。
【００２３】
図１において、公衆回線網１０１、外線ケーブル１０２、ＰＢＸ１０３、内線ケーブル１０４、電話機１０５、インターネット２０１、ＷＡＮケーブル２０２、ＶＤＳＬ装置２０３、ＶＤＳＬモデム２０４、ＰＣ２０５、ＬＡＮケーブル２０６である。図１と図１１とを比較すると、図１のＶＤＳＬ通信システムの構成には、図１１の設定用機器２１０と接続ケーブル２１１とが含まれていないことが分かる。これは、ＶＤＳＬモデム２０４において通信速度等のデータの設定が行われるためである。そして、ＶＤＳＬ装置２０３、ＰＢＸ１０３は主にビルやマンションの地下制御室に設置される場合が多いのに対して、ＶＤＳＬモデム２０４、ＰＣ２０５、ＬＡＮケーブル２０６、電話機１０５は、ユーザが使用する宅内や客室に設置される。
【００２４】
図２は、図１のＶＤＳＬモデム２０４を示すブロック図である。
【００２５】
図２において、１１はＶＤＳＬモデム２０４全体の制御をつかさどる中央処理装置（ＣＰＵ）、１２はＶＤＳＬチップやアナログフロントエンド、スプリッタから構成され、ＶＤＳＬの変調処理や、ＶＤＳＬ信号とアナログ信号の分離処理などを行うＶＤＳＬ制御部、１３はＶＤＳＬチップのレジスタ等から構成され、ＶＤＳＬの各種設定データを格納しているＶＤＳＬパラメータ格納部、１４はＬＡＮの物理層（Ｐｈｙｓｉｃａｌ層）等の処理をおこなうＬＡＮチップなどから構成されるＬＡＮ制御部、１５はＲＯＭやＲＡＭから構成され、プログラムや各種データ等が格納されるメモリ、１６はＶＤＳＬモデム２０４の状態等をユーザに表示する為の表示部、１７は新規設定や変更が必要な場合に通信速度等のデータを入力する入力部である。
【００２６】
図３は、図１のＶＤＳＬ装置２０３を示すブロック図である。
【００２７】
図３において、内線ケーブル１０４、ＷＡＮケーブル２０２は図１と同様のものであり、２２１はＶＤＳＬ装置２０３全体の制御をつかさどる中央処理装置（ＣＰＵ）、２２２はプログラムやデータを格納するＲＡＭやＲＯＭから構成されるメモリ、２２３はインターネット２０１との接続および制御を行うＷＡＮインタフェース部（ＷＡＮＩ／Ｆ部）、２２４は効率良く高速なパケット交換を実現するＬＡＮスイッチ機能部、２２５はアナログ回線やＩＳＤＮ回線等から成る内線との接続を行う内線インタフェース部（内線Ｉ／Ｆ部）、２２６はＶＤＳＬチップやアナログフロントエンドやスプリッタから構成され、ＶＤＳＬの変調処理やＶＤＳＬ信号とアナログ信号の分離処理などを行うＶＤＳＬ制御部、２２７はＶＤＳＬチップのレジスタ等から構成され、ＶＤＳＬの各種設定データを格納しているＶＤＳＬパラメータ格納部である。なお、図３におけるＷＡＮケーブル２０２の本数は１本とは限らず複数本ある場合もある。
【００２８】
このように構成されたＶＤＳＬ通信システムについて、その動作を図４、図５を用いて説明する。図４、図５は本発明の実施の形態１におけるＶＤＳＬ通信速度設定動作を示すシーケンス図である。
【００２９】
まず、図４を用いてＶＤＳＬ通信速度設定動作について説明する。
【００３０】
ユーザやネットワーク管理者などの使用者は、ＶＤＳＬモデム２０４の入力部１７から、設定したい通信速度を入力する（Ｓ１）。その入力が完了すると、ＶＤＳＬモデム２０４は、メモリ１５に格納されているプログラムに基づく動作を行って、入力された通信速度の値をＶＤＳＬ装置２０３に通知する（Ｓ２）。なお、Ｓ２の通知の時点では、まだ既存の通信速度でのＶＤＳＬリンクが確立しており、ＶＤＳＬ装置２０３とＶＤＳＬモデム２０４との間でのデータ通信は可能である。よって、この通知は、ＩＰ（Ｉｎｔｅｒｎｅｔ  Ｐｒｏｔｏｃｏｌ）層より上位層のデータを使った通知でもよいし、ＩＰ層より下位層のＶＤＳＬ層のデータでの通知でもよい。要は、ここでは、その通知の方法はいずれの層の伝送方法でもよく、入力された通信速度の値がＶＤＳＬモデム２０４からＶＤＳＬ装置２０３に通知されればよい。通信速度の値を受信したＶＤＳＬ装置２０３は、メモリ２２２に格納されているプログラムに基づく動作を行って、その通信速度の値をＶＤＳＬパラメータ格納部２２７に設定する（ＶＤＳＬチップのレジスタの値を書き換える）（Ｓ３）。その後、メモリ２２２に格納されているプログラムに基づく動作を行って、ＶＤＳＬ装置２０３自身を自動的にリセットする（Ｓ４）。ＶＤＳＬ装置２０３をリセットすることにより、ＶＤＳＬ装置２０３とＶＤＳＬモデム２０４との間の既存のリンクは切断される。リセットされたＶＤＳＬ装置２０３は、メモリ２２２のプログラムに基づく動作を開始する。この動作を開始したＶＤＳＬ装置２０３は、Ｓ３で設定された通信速度でＶＤＳＬモデム２０４とのリンクを確立するためのネゴシエーションを開始する（Ｓ５）。そしてネゴシエーションが完了すると、Ｓ３においてＶＤＳＬパラメータ格納部２２７に設定した通信速度で、ＶＤＳＬのリンクが確立される（Ｓ６）。
【００３１】
以上はＶＤＳＬ装置２０３がマスタ、ＶＤＳＬモデム２０４がスレーブである場合の動作である。
【００３２】
次に、ＶＤＳＬ装置２０３がスレーブ、ＶＤＳＬモデム２０４がマスタである場合の動作について図５を用いて説明する。
【００３３】
使用者は、ＶＤＳＬモデム２０４の入力部１７から、設定したい通信速度を入力する（Ｓ１１）。その入力が完了すると、ＶＤＳＬモデム２０４は、メモリ１５に格納されているプログラムに基づく動作を行って、入力された通信速度の値をＶＤＳＬモデム２０４のＶＤＳＬパラメータ格納部１３に設定する（ＶＤＳＬチップのレジスタの値を書き換える）（Ｓ１２）。その後、メモリ１５に格納されているプログラムに基づく動作を行って、ＶＤＳＬモデム２０４自身を自動的にリセットする（Ｓ１３）。ＶＤＳＬモデム２０４をリセットすることにより、ＶＤＳＬ装置２０３とＶＤＳＬモデム２０４との間の既存のリンクは切断される。リセットされたＶＤＳＬモデム２０４は、メモリ１５のプログラムに基づく動作を開始する。ＶＤＳＬモデム２０４とリンクが切断されたＶＤＳＬ装置２０３とは、再びリンクを確立するためにネゴシエーションを開始する（Ｓ１４）。そして、ネゴシエーションが完了すると、Ｓ１２においてＶＤＳＬパラメータ格納部１３に設定した通信速度で、ＶＤＳＬのリンクが確立される（Ｓ１５）。
【００３４】
以上のように本実施の形態によれば、ＶＤＳＬモデム２０４は、設定した通信速度をＶＤＳＬ装置２０３に送信することにより、ＶＤＳＬの通信速度の設定の為にネットワーク管理者等が設定用機器が設置してある場所（例えばビルの地下制御室）に出向いて設定作業をする必要がなくなり、通常は宅内に設定されているＶＤＳＬモデムから簡単に通信速度を設定することができる。
【００３５】
また、ＶＤＳＬモデム２０４は、通信速度等のデータを入力して設定するための入力部１７を有することにより、ＶＤＳＬモデム２０４の入力部１７から容易に通信速度を設定することができる。
【００３６】
（実施の形態２）
本発明の実施の形態２によるＶＤＳＬ通信システムの構成は実施の形態１と同様、図１〜図３に示す構成である。
【００３７】
このように構成されたＶＤＳＬ通信システムについて、その動作を図６、図７を用いて説明する。図６、図７は、本発明の実施の形態２におけるＶＤＳＬ通信速度設定動作を示すシーケンス図である。
【００３８】
ここで、オートネゴシエーション機能について説明する。一般的に、ＬＡＮ制御部１４で用いられるＬＡＮチップは、ＬＡＮケーブル２０６を介して接続されるＰＣ２０５等の通信相手と通信を行う際に、ＩＥＥＥ８０２．３ｕで規定されているオートネゴシエーション機能を持っている。このオートネゴシエーション機能とは、接続する通信相手に合せてその伝送速度を１０Ｍｂｐｓもしくは１００Ｍｂｐｓで自動認識する機能である。つまり、ＬＡＮ制御部１４のオートネゴシエーション機能により、ＶＤＳＬモデム２０４とＰＣ２０５との間の伝送速度は常にＬＡＮ制御部１４によって把握されている。
【００３９】
本実施の形態では、このＶＤＳＬモデム２０４のＬＡＮ制御部１４のオートネゴシエーション機能を利用する。
【００４０】
まず、図６を用いて、ＶＤＳＬ通信速度設定動作について説明する。
【００４１】
ＬＡＮ制御部１４のオートネゴシエーション機能により、ＶＤＳＬモデム２０４のＬＡＮ側の伝送速度を検知する（Ｓ２１）。その伝送速度を元に、ＶＤＳＬモデム２０４のＣＰＵ１１は、ＶＤＳＬの通信速度を算出する（Ｓ２２）。例えば、ＬＡＮの通信速度が１０Ｍｂｐｓならば、それ以下になるような最大のＶＤＳＬの通信速度を算出する。算出の方法としては、メモリ１５に格納されているデータテーブルを参照するような方法でもよく、また、プログラムにより算出するようにしてもよい。ここではその算出方法は問わない。通信速度が算出されると、ＶＤＳＬモデム２０４は、メモリ１５に格納されているプログラムに基づく動作を行って、算出された通信速度の値をＶＤＳＬ装置２０３に通知する（Ｓ２３）。Ｓ２４〜Ｓ２７における動作は、図４のＳ３〜Ｓ６における動作と同様であるので、その説明は省略する。要は、図４におけるユーザの通信速度入力（Ｓ１）がオートネゴシエーション機能による検知（Ｓ２１）および通信速度算出（Ｓ２２）に変わっただけであり、Ｓ２３以降の動作は、実施の形態１の図４におけるＳ２以降の動作と同様である。
【００４２】
以上はＶＤＳＬ装置２０３がマスタ、ＶＤＳＬモデム２０４がスレーブである場合の動作である。次に、ＶＤＳＬ装置２０３がスレーブ、ＶＤＳＬモデム２０４がマスタである場合の動作について図７を用いて説明する。
【００４３】
図７に示す動作においても、ＬＡＮ制御部１４のオートネゴシエーション機能を利用する。
【００４４】
ＬＡＮ制御部１４のオートネゴシエーション機能によりＶＤＳＬモデム２０４のＬＡＮ側の伝送速度を検知する（Ｓ３１）。その伝送速度を元に、ＶＤＳＬモデム２０４のＣＰＵ１１は、ＶＤＳＬの通信速度を算出する（Ｓ３２）。例えば、ＬＡＮの通信速度が１０Ｍｂｐｓならば、それ以下になるような最大のＶＤＳＬの通信速度を算出する。算出の方法としては、メモリ１５に格納されているデータテーブルを参照するような方法でもよく、また、プログラムにより算出するようにしてもよい。ここではその算出方法は問わない。通信速度が算出されると、ＶＤＳＬモデム２０４は、メモリ１５に格納されているプログラムに基づく動作を行って、算出された通信速度の値をＶＤＳＬモデム２０４のＶＤＳＬパラメータ格納部１３に格納する（ＶＤＳＬチップのレジスタの値を書き換える）（Ｓ３３）。Ｓ３３以降の動作は、実施の形態１の図５の１２以降の動作と同様であるので、その説明は省略する。要は、図５におけるユーザの通信速度入力（Ｓ１１）がオートネゴシエーション機能による検知（Ｓ３１）および通信速度算出（Ｓ３２）に変わっただけであり、Ｓ３３以降の動作は、実施の形態１の図５におけるＳ１２以降の動作と同様である。
【００４５】
以上のように本実施の形態によれば、ＶＤＳＬモデム２０４は、ＰＣ２０５等が接続されたＬＡＮにおける伝送速度に合せて通信速度を適切な速度に自動設定することにより、ＶＤＳＬモデムのＬＡＮ側の状態、たとえば１０ＢａｓｅＴ（１０Ｍｂｐｓ）が接続されているのか若しくは１００ＢａｓｅＴ（１００Ｍｂｐｓ）が接続されているのかを自動的に判別し、その結果を元に通信速度を自動的に設定することができるので、人的設定作業が不要となり、設定作業の簡略化を図ることができ、利便性の向上を図ることができ、また、人的作業の設定ミスによりＬＡＮ側が１０Ｍｂｐｓの伝送速度しかないのにＶＤＳＬの通信速度を１０Ｍｂｐｓ以上に設定してしまった場合にも、１０Ｍｂｐｓ以下の適切な通信速度に自動的に修正することができる、つまり、ＶＤＳＬモデムのＬＡＮ側の伝送速度を最大限に活かせるようにＶＤＳＬの通信速度を自動的に設定することができると共に人為作業による設定ミスを自動的に修正することができる。
【００４６】
（実施の形態３）
本発明の実施の形態３によるＶＤＳＬ通信システムの構成は実施の形態１と同様、図１〜図３に示す構成である。
【００４７】
このように構成されたＶＤＳＬ通信システムについて、通信速度の表示動作を図８〜図１０を用いて説明する。図８、図９は本発明の実施の形態３におけるＶＤＳＬモデム２０４の表示部１６を示すパネル図であり、図１０は本実施の形態におけるＶＤＳＬ通信速度表示動作を示すシーケンス図である。
【００４８】
表示する通信速度の値は、ＶＤＳＬ装置２０３がスレーブ、ＶＤＳＬモデム２０４がマスタとなって動作している場合は、ＶＤＳＬモデム２０４内のＶＤＳＬパラメータ格納部１３に格納されており、また、ＶＤＳＬ装置２０３がマスタ、ＶＤＳＬモデム２０４がスレーブとなって動作している場合は、ＶＤＳＬ装置２０３内のＶＤＳＬパラメータ格納部２２７に格納されている。通信速度の値がＶＤＳＬモデム２０４内のＶＤＳＬパラメータ格納部１３に格納されている場合は、ＶＤＳＬパラメータ格納部１３の通信速度のパラメータを参照して表示部１６に表示する。一方、通信速度の値がＶＤＳＬ装置２０３内のＶＤＳＬパラメータ格納部２２７に格納されている場合は、以下に説明する図１０に示す手順によりＶＤＳＬパラメータ格納部２２７の通信速度のパラメータを参照することで、ＶＤＳＬモデム２０４の表示部１６に表示する。
【００４９】
次に、図１０に示すＶＤＳＬ通信速度表示動作について説明する。
【００５０】
まず、ＶＤＳＬモデム２０４は、ＶＤＳＬ装置２０３に対して、「通信速度要求」のメッセージを送信する（Ｓ４１）。「通信速度要求」を受信したＶＤＳＬ装置２０３は、ＶＤＳＬパラメータ格納部２２７に格納してある通信速度のパラメータを「通信速度確認」のメッセージと共にＶＤＳＬモデム２０４へ送信する（Ｓ４２）。「通信速度確認」メッセージを受信したＶＤＳＬモデム２０４は、受けとった通信速度のパラメータを参照して表示部１６に通信速度を表示する（Ｓ４３）。なお、表示部１６での表示の方法は、図８のようにＬＣＤ等にテキスト表示してもよいし、図９のようにＬＥＤ１８を用いて、ＬＥＤ１８の点灯する数で通信速度を表示したり、もしくはＬＥＤ１８の色を変えて通信速度を表示してもよい。
【００５１】
以上のように本実施の形態によれば、ＶＤＳＬモデム２０４上に現在の通信速度の値を表示させることで、設定ミスを防ぐことができ、また、ユーザに対して機器使用の安心感を与えることができる。
【００５２】
【発明の効果】
以上説明したように本発明の請求項１に記載のＶＤＳＬ通信システムによれば、ＰＢＸおよびインターネット網に接続されたＶＤＳＬ装置と、ＶＤＳＬ装置に接続されたＶＤＳＬモデムとを有するＶＤＳＬ通信システムにおいて、ＶＤＳＬモデムは、設定した通信速度をＶＤＳＬ装置に送信することにより、ＶＤＳＬの通信速度の設定の為にネットワーク管理者等が設定用機器が設置してある場所（例えばビルの地下制御室）に出向いて設定作業をする必要がなくなり、通常は宅内に設定されているＶＤＳＬモデムから簡単に通信速度を設定することができるという有利な効果が得られる。
【００５３】
請求項２に記載のＶＤＳＬ通信システムによれば、請求項１に記載のＶＤＳＬ通信システムにおいて、ＶＤＳＬモデムは、通信速度等のデータを入力して設定するための入力部を有することにより、ＶＤＳＬモデムの入力部から容易に通信速度を設定することができるという有利な効果が得られる。
【００５４】
請求項３に記載のＶＤＳＬ通信システムによれば、請求項１に記載のＶＤＳＬ通信システムにおいて、ＶＤＳＬモデムは、ＰＣ等が接続されたＬＡＮの伝送速度に合せて通信速度を適切な速度に自動設定することにより、ＶＤＳＬモデムのＬＡＮ側の状態、たとえば１０ＢａｓｅＴ（１０Ｍｂｐｓ）が接続されているのか若しくは１００ＢａｓｅＴ（１００Ｍｂｐｓ）が接続されているのかを自動的に判別し、その結果を元に通信速度を自動的に設定することができるので、人的設定作業が不要となり、設定作業の簡略化を図ることができ、利便性の向上を図ることができるという作用を有し、また、人的作業の設定ミスによりＬＡＮ側が１０Ｍｂｐｓの伝送速度しかないのにＶＤＳＬの通信速度を１０Ｍｂｐｓ以上に設定してしまった場合にも、１０Ｍｂｐｓ以下の適切な通信速度に自動的に修正することができるという作用、つまり、ＶＤＳＬモデムのＬＡＮ側の伝送速度を最大限に活かせるようにＶＤＳＬの通信速度を自動的に設定することができると共に人為作業による設定ミスを自動的に修正することができるという有利な効果が得られる。
【００５５】
請求項４に記載のＶＤＳＬ通信システムによれば、請求項１乃至３のいずれか１に記載のＶＤＳＬ通信システムにおいて、ＶＤＳＬモデムは、ＶＤＳＬモデムの状態や各種データなどを表示する表示部を有することにより、ＶＤＳＬモデムの表示部に現在の通信速度の値を表示させることで、設定ミスを防ぐことができ、また、ユーザに対してはＶＤＳＬ通信システムを使用する際に安心感を与えることができるという有利な効果が得られる。
【図面の簡単な説明】
【図１】本発明の実施の形態１によるＶＤＳＬ通信システムを示すブロック図
【図２】図１のＶＤＳＬモデムを示すブロック図
【図３】図１のＶＤＳＬ装置を示すブロック図
【図４】本発明の実施の形態１におけるＶＤＳＬ通信速度設定動作を示すシーケンス図
【図５】本発明の実施の形態１におけるＶＤＳＬ通信速度設定動作を示すシーケンス図
【図６】本発明の実施の形態２におけるＶＤＳＬ通信速度設定動作を示すシーケンス図
【図７】本発明の実施の形態２におけるＶＤＳＬ通信速度設定動作を示すシーケンス図
【図８】本発明の実施の形態３におけるＶＤＳＬモデムの表示部を示すパネル図
【図９】本発明の実施の形態３におけるＶＤＳＬモデムの表示部を示すパネル図
【図１０】本発明の実施の形態３におけるＶＤＳＬ通信速度表示動作を示すシーケンス図
【図１１】従来のＶＤＳＬ通信システムを示すブロック図
【図１２】設定用機器における設定入力画面の例を示す画面図
【符号の説明】
１１  ＣＰＵ
１２  ＶＤＳＬ制御部
１３  ＶＤＳＬパラメータ格納部
１４  ＬＡＮ制御部
１５  メモリ
１６  表示部
１７  入力部
１８  ＬＥＤ
１０１  公衆回線網
１０２  外線ケーブル
１０３  ＰＢＸ
１０４  内線ケーブル
１０５  電話機
２０１  インターネット
２０２  ＷＡＮケーブル
２０３  ＶＤＳＬ装置
２０４  ＶＤＳＬモデム
２０５  ＰＣ
２０６  ＬＡＮケーブル
２２１  ＣＰＵ
２２２  メモリ
２２３  ＷＡＮインタフェース部（ＷＡＮＩ／Ｆ部）
２２４  ＬＡＮスイッチ機能部
２２５  内線インタフェース部（内線Ｉ／Ｆ部）
２２６  ＶＤＳＬ制御部
２２７  ＶＤＳＬパラメータ格納部
【図１】
2004187063.tif 000003
【図２】
2004187063.tif 000004
【図３】
2004187063.tif 000005
【図４】
2004187063.tif 000006
【図５】
2004187063.tif 000007
【図６】
2004187063.tif 000008
【図７】
2004187063.tif 000009
【図８】
2004187063.tif 000010
【図９】
2004187063.tif 000011
【図１０】
2004187063.tif 000012
【図１１】
2004187063.tif 000013
【図１２】
2004187063.tif 000014